(57)【特許請求の範囲】
【請求項１】
被処理水の入口部及び処理水の出口部を形成したキャップと、カートリッジフィルターを収納する容器本体と、キャップと容器本体を接続するための筒型ナットとを有してなるカートリッジフィルターのハウジング構造において、前記容器本体はその外周部に長手方向に沿って２箇所以上のリブ突条を具えていると共に，筒型ナットはその下端部内側であって前記リブ突条の付設位置に対応する位置に、当該リブ突条が遊嵌し得る程度の切欠部を形成してなり、リブ突条と切欠部を一致させることによって筒型ナットを容器本体の外周部から抜き取ることができ、且つリブ突条と切欠部をずらすことによって筒型ナットが容器本体の外周部に保持され、脱落が防止されるようになっていることを特徴とするカートリッジフィルターハウジング構造。
【発明の詳細な説明】
【０００１】
【発明の属する技術分野】
本発明は工業用水や水道水等の粗濾過フィルターや、純水あるいは超純水中に僅かに混在している微粒子の濾過フィルター、薬品中の微粒子濾過フィルター等のハウジング構造に関するものである。
【０００２】
【従来の技術】
残留塩素除去、有機物除去、濁質成分等微粒子除去、細菌除去等の目的で水を使用する様々な分野でカートリッジフィルターが用いられている。
図５は従来のカートリッジフィルターハウジング構造の一例を示す縦断面図であり、図中２０は被処理水の入口部２１及び処理水の出口部２２を形成したキャップ、２３はカートリッジフィルター２４を着脱自在に収納する容器本体、２５は前記キャップ２０と容器本体２３を接続するための筒型ナット、２６はキャップ２０と容器本体２３をシールするＯリングをそれぞれ示す。
【０００３】
前記容器本体２３の外周面には、強度保持等のため容器本体２３の長手方向に沿って２箇所以上のリブ突条２７を形成してあり、当該リブ突条２７の最大外径を、筒型ナット２５の下端部内径よりも少し大きくすることによって、筒型ナット２５を緩めたとき当該筒型ナット２５の下端部がリブ突条２７の上端に引っ掛かって容器本体２３の外周部に保持され、脱落が防止されるようになっている。
【０００４】
【発明が解決しようとする課題】
前記したように、従来はカートリッジフィルター２４を交換する際等に筒型ナット２５が下方に脱落するのを防止するため、筒型ナット２５を緩めたとしても、容器本体２３の外周部に突成してあるリブ突条２７の上端部に係止されて、筒型ナット２５が容器本体２３の外周部に保持される構造となっている。
【０００５】
そのため、筒型ナット２５の内側に水垢や塵埃等が付着しても、これを取り除くことができず、使用の継続により筒型ナット２５の周辺が次第に不衛生になり易いという問題点がある。
【０００６】
かかる問題点を解消するには容器本体の外周部にリブ突条２７を設けなければよいのであるが、仮にリブ突条を設けない場合には、フィルター交換等の際に筒型ナット２５が容器本体２３より外れて作業者の足の上等に落下し怪我の原因になるという不具合があると共に、容器本体２３の強度が保持できなくなるという問題点がある。
【０００７】
そこで本発明は、必要に応じ簡単な操作で筒型ナットをリブ突条を具えた容器本体の外周部から抜き取ることができるようにして筒型ナットの内側を清掃可能にすると共に、フィルター交換等のため筒型ナットを緩めたとしても、容器本体の外周部に保持され脱落を防止できるようにしたカートリッジフィルターハウジング構造を提供することを目的とするものである。
【０００８】
【課題を解決するための手段】
上記目的を達成するための本発明の構成を詳述すれば、被処理水の入口部及び処理水の出口部を形成したキャップと、カートリッジフィルターを収納する容器本体と、キャップと容器本体を接続するための筒型ナットとを有してなるカートリッジフィルターのハウジング構造において、前記容器本体はその外周部に長手方向に沿って２箇所以上のリブ突条を具えていると共に，筒型ナットはその下端部内側であって前記リブ突条の付設位置に対応する位置に、当該リブ突条が遊嵌し得る程度の切欠部を形成してなり、リブ突条と切欠部を一致させることによって筒型ナットを容器本体の外周部から抜き取ることができ、且つリブ突条と切欠部をずらすことによって筒型ナットが容器本体の外周部に保持され、脱落が防止されるようになっていることを特徴とするカートリッジフィルターハウジング構造である。
【０００９】
したがって、本発明によった場合、筒型ナットの内側を清掃するとき等には、筒型ナットを緩めてから空転させ、リブ突条と切欠部を一致させることによって筒型ナットを容器本体の外周部から容易に抜き取ることができるものである。
また、カートリッジフィルターの交換のみで筒型ナットを抜き取る必要のないときは、リブ突条と切欠部をずらすことによって筒型ナットを容器本体の外周部に保持させることができ、落下が防止できてカートリッジフィルター交換等の作業性が非常に良好となるものである。
【００１０】
【発明の実施の形態】
以下、本発明カートリッジフィルターハウジング構造の具体的構成を図示の実施例に基づき詳細に説明する。
図１は本発明カートリッジフィルターハウジング構造の一実施例を示す外観図、図２は図１のＢ矢視拡大図、図３は筒型ナットの下端部内側に形成した切欠部と容器本体のリブ突条の取り合いを示す詳細図、図４は本発明カートリッジフィルターハウジング構造の一実施例を示す縦断面図である。
【００１１】
図中１は被処理水の入口部２及び処理水の出口部３を形成したキャップ、４はカートリッジフィルター５を収納する容器本体、６は前記キャップ１と容器本体４を接続するための筒型ナット、７はキャップ１と容器本体４をシールするＯリングである。８は容器本体４の外周部長手方向に沿って突成した複数本のリブ突条であり、図示する実施例では９０°づつ位置をずらして４本のリブ突条８を容器本体４の外周部に突成してある。
【００１２】
キャップ１はその首部９の外周面に雄ねじ１０を形成してあって、この雄ねじ１０に筒型ナット６の上部内周面に形成した雌ねじが螺着されるようになっており、筒型ナット６の雌ねじが雄ねじ１０に螺着され上方に移動するに伴って筒型ナット６の下端環状折曲部１１（下端部内側）が容器本体４に形成してある段部１２の下面に当接し、容器本体４の全体を上方に押し上げてキャップ１と密に嵌合できるようになっている。
【００１３】
また、図中の１３はカートリッジフィルター５を容器本体４の中心部に保持するためのアダプター、１４は容器本体４の下端部に付設したドレンプラグ、１５はキャップ１の上面に付設したエアプラグである。
【００１４】
被処理水はキャップ１の入口部２を通じて容器本体４内に入り、カートリッジフィルター５を通過するときに濁質成分等が除去され、処理水はカートリッジフィルター５の中空部より、キャップ１の出口部３を介して各用途先に送られるようになっている。
【００１５】
このようなカートリッジフィルターのハウジング構造において、本発明では筒型ナット６の下端環状折曲部１１の内側に、前記リブ突条８の数と同数且つ同角度、すなわち、前記リブ突条８の付設位置に対応させて、当該リブ突条８が遊嵌し得る程度の大きさの切欠部１６を形成してなるものである。
【００１６】
図示する実施例では、前記したように容器本体４の外周部に９０°づつ位置をずらして４本のリブ突条８を突成してあり、切欠部１６もこれに対応する如く筒型ナット６の下端部内側に９０°づつ位置をずらして４箇所に形成してある。
しかしながら、この実施例以外にもリブ突条と切欠部の対応関係が維持される限りにおいて、リブ突条の数と切欠部の数は二以上任意に設定することができるのは云うまでもない。
【００１７】
筒型ナット６を容器本体４の外周部から取り外すには、筒型ナット６を逆に廻してキャップ１の雄ねじ１０との螺合を解き、筒型ナット６をフリーの状態にしてから容器本体４のリブ突条８と、筒型ナット６の切欠部１６を合致させることによって筒型ナット６を容器本体４の外周部から抜き取ることができるものである。なお、切欠部１６はリブ突条８が遊嵌し得る程度の大きさに形成してあるので、筒型ナット６は容器本体４の外周部からスムーズに引き抜くことができる。
【００１８】
したがって、筒型ナット６の内面に付着した水垢や塵埃等を清掃する必要が生じたときには、前記操作により容器本体４の外周部から筒型ナット６を簡単に取り外すことができるものである。なお、清掃後、筒型ナット６を元に戻すには、筒型ナット６に形成してある切欠部１６を容器本体４のリブ突条８に合致させ、そのまま筒型ナット６をリブ突条８を一種のガイドとして上方に引き上げればよい。
【００１９】
一方、カートリッジフィルター５の交換のみで、筒型ナット６の内面を清掃等する必要のないときには、筒型ナット６が容器本体４の外周部に保持されている方が作業性が良好となる。このような場合には、容器本体４のリブ突条８と切欠部１６をずらすことによって筒型ナット６の下端部内側をリブ突条８の上端部に引っ掛けた状態となし、容器本体４の外周部に保持させて筒型ナット６が落下するのを防止するようにする。
【００２０】
【発明の効果】
本発明カートリッジフィルターハウジング構造は以上のような構成・作用からなり、筒型ナットの内側を清掃するとき等にはリブ突条と切欠部を合致させるだけの簡単な操作で筒型ナットを容器本体の外周部から容易に抜き取ることができる。また、カートリッジフィルターの交換のみで筒型ナットを抜き取る必要のないときは、リブ突条と切欠部をずらすことによって筒型ナットを容器本体の外周部に保持させることができ、カートリッジフィルター交換等の作業性が非常に良好となる。
【図面の簡単な説明】
【図１】本発明に係るカートリッジフィルターハウジング構造の一実施例を示す外観図である。
【図２】図１のＢ矢視拡大図である。
【図３】筒型ナットの下端部内側に形成した切欠部と容器本体に突成したリブ突条の取り合いを示す詳細図である。
【図４】本発明に係るカートリッジフィルターハウジング構造の一実施例を示す縦断面図である。
【図５】従来のカートリッジフィルターハウジング構造の一例を示す縦断面図である。
【符号の説明】
１：キャップ                      ２：入口部
３：出口部                        ４：容器本体
５：カートリッジフィルター        ６：筒型ナット
７：Ｏリング                      ８：リブ突条
９：首部                        １０：雄ねじ
１１：下端環状折曲部              １２：段部
１３：アダプター                  １４：ドレンプラグ
１５：エアプラグ                  １６：切欠部
【図１】
0003738143.tif 000002
【図２】
0003738143.tif 000003
【図３】
0003738143.tif 000004
【図４】
0003738143.tif 000005
【図５】
0003738143.tif 000006